(57)【要約】【課題】ガス器具判定の誤判定を防止することが可能なガス器具判別装置を提供すること。【解決手段】流路内を流れるガス流量を一定時間間隔で計測し流量データとして出力する流量計測手段１０４と、流量計測手段１０４で計測された流量データからガス器具を判別する器具判別手段１０６と、季節を想定する季節想定手段１０７と、を備え、前記器具判別手段１０６は、季節想定手段１０７で想定される季節毎に、判別する器具を限定する。【選択図】図１
2019045222.tif 000002
【特許請求の範囲】
【請求項１】
流路内を流れるガス流量を一定時間間隔で計測し流量データとして出力する流量計測手段と、
前記流量計測手段で計測された流量データからガス器具を判別する器具判別手段と、
季節を想定する季節想定手段と、を備え、
前記器具判別手段は、前記季節想定手段で想定される季節毎に、判別する器具を限定することを特徴とするガス器具判別装置。
【請求項２】
前記器具判別手段は、
流量データから特定の季節に使用される第１ガス器具と季節に関係なく使用される第２ガス器具のいずれかを判別できない場合、
前記季節想定手段で想定される季節が、前記第１ガス器具が使用されない季節の時は、前記第１ガス器具と判別しないことを特徴とする請求項１記載のガス器具判別装置。
【請求項３】
前記器具判別手段は、
稼動開始からの流量データから特定の季節に使用される第１ガス器具と季節に関係なく使用される第２ガス器具のいずれかを判別できない場合、
前記季節想定手段で想定される季節が、前記第１ガス器具が使用されない季節の時は、前記第２ガス器具と判別することを特徴とする請求項１記載のガス器具判別装置。
【請求項４】
前記器具判別手段は、
前記季節想定手段によって想定される季節が第１ガス器具を使用しない季節に相当するときに、前記流量計測手段によって計測されたガス流量が所定範囲の流量帯であることを検出できなかった場合、
前記季節想定手段によって想定される季節が第１ガス器具を使用する季節において前記所定範囲内の流量帯のガス器具は全て前記第１ガス器具として判別することを特徴とする請求項１記載のガス器具判別装置。
【請求項５】
前記器具判別手段により前記第１ガス器具と判別された場合に、前記第１ガス器具が有する所定の流量変化パターンの有無を監視する流量変化検出手段を有し、
前記器具判別手段は、
前記流量変化検出手段で、前記所定の流量変化パターン有りを検出し、且つ、
前記季節想定手段によって想定される季節が前記第１ガス器具を使用しない季節に相当するときは、使用されたガス器具を季節に関係なく使用される第３ガス器具と判別することを特徴とする請求項１に記載のガス器具判別装置。
【請求項６】
前記器具判別手段でガス器具が特定のガス器具と判別された場合に前記流量計測手段で計測されたガス流量を積算する器具流量積算手段を備えたことを特徴とする請求項１〜５のいずれか１項に記載のガス器具判別装置。
【請求項７】
前記器具流量積算手段は、
前記第１ガス器具と前記第２ガス器具のいずれかを判別できない場合、
前記季節想定手段によって想定される季節が前記第１ガス器具を使用しない季節に相当するとき判別できないガス流量を積算量Ａとして積算し、
前記季節想定手段によって想定される季節が前記第１ガス器具を使用する季節に相当するときに判別できないガス流量を積算量Ｂとして積算し、
前記第１ガス器具の積算量を積算量Ｂ−積算量Ａとして求めることを特徴とする請求項６に記載のガス器具判別装置。
【請求項８】
前記季節想定手段は、カレンダーを備え、前記カレンダーの月日に基づいて季節を想定することを特徴とする請求項１〜７のいずれか１項に記載のガス器具判別装置。
【請求項９】
前記季節想定手段は、温度検出手段を備え、年間の温度の推移に基づいて季節を想定することを特徴とする請求項１〜７のいずれか１項に記載のガス器具判別装置。
【請求項１０】
前記季節想定手段は、ガス使用量変化検出手段を備え、ガスの使用量に応じて季節を想定することを特徴とする請求項１〜７のいずれか１項に記載のガス器具判別装置。
【発明の詳細な説明】
【技術分野】
【０００１】
本発明は、ガスの流量変化を検出することにより、使用が開始されたガス器具を判別する技術に関する。
【背景技術】
【０００２】
配管内を流れるガスの流量変化に基づいて、使用が開始されたガス器具が何であるかを特定するガスメータ装置が提案されている。例えば下記の特許文献１は、一定時間間隔でガス流量を計測し、得られた流量値の変化のパターンと、ガス器具ごとに予め求めておいた流量値の変化のパターンとを比較することにより、使用が開始されたガス器具を判別するガスメータ装置を開示している。
【０００３】
特許文献１は、ガス器具の特徴を示す流量をガス器具の判別に利用することによって、判別の精度を向上させることを提案しており、ガス器具の特徴を示す流量の１つとして中間安定流量を例示している。中間安定流量は、一定時間間隔で取得される流量の変化のパターンにおいて、ガス器具の使用開始直後の流量の立ち上がりから流量がほぼ一定の値に安定するまでの間に現れる、流量の増加率が相対的に小さい領域に対応した流量を指す。換言すれば、中間安定流量は、流量の変化のパターンにおいて流量の増加の途中に現れるフラットな部分に対応した流量である。例えばガスファンヒータなど、緩点火動作を行うガス器具は、典型的には、このような流量変化のパターンを示す。緩点火とは、爆発的な着火を防止するためにガス圧力が抑制された状態での点火動作である。
【先行技術文献】
【特許文献】
【０００４】
【特許文献１】特開２０１１−０９５２００号公報
【発明の概要】
【発明が解決しようとする課題】
【０００５】
しかしながら、ガスファンヒータの中には明確な緩点火を示さないために正確に判別できないものがあり、また、このガスファンヒータのガス流量範囲には、ガスコンロや乾燥機のようなガス器具も存在している。従って、稼動開始したガス器具がガスファンヒータにも関わらず、ガスコンロと判断すると言う課題がある。
【０００６】
また、ガス器具に乾燥機があるが、この乾燥機の中にはガスファンヒータと略同じ流量パターンを示すものが有り、区別が困難であるという課題もあった。
【０００７】
本発明は、類似の流量変化パターンのガス器具が存在する場合でも季節に応じた使用状況を器具判定のロジックに組み入れることで器具判別の精度を向上できるガス器具判別装置を提供することを目的とする。
【課題を解決するための手段】
【０００８】
前記従来の課題を解決するために、本発明のガス器具判別装置は、流路内を流れるガス流量を一定時間間隔で計測し流量データとして出力する流量計測手段と、前記流量計測手段で計測されたガス器具の稼動開始からの流量データからガス器具を判別する器具判別手段と、季節を想定する季節想定手段と、を備え、前記器具判別手段は、前記季節想定手段で想定される季節毎に、判別する器具を限定することを特徴とするものである。
【０００９】
これによって、類似した流量域、或いは流量パターンを有し明確な判別ができない可能
性のあるガス器具（例えば、ガスファンヒータ、ガスコンロ、乾燥機等）の判別を季節における使用状況を加味して判別することができ、ガス器具の判別精度の向上を図ることが可能となる。
【発明の効果】
【００１０】
本発明のガス器具判別装置によれば、ガス器具の判別精度の向上を図ることが可能となる。
【図面の簡単な説明】
【００１１】
【図１】本実施の形態１におけるガスメータの構成を示すブロック図
【図２】同実施の形態におけるガス器具の使用期間を示す図
【図３】同実施の形態における器具判別処理を示すフローチャート
【図４】同実施の形態におけるファンヒータとコンロの起動開始時の流量変化を示すグラフ
【図５】本実施の形態２における器具判別処理を示すフローチャート
【図６】本実施の形態３における器具判別処理を示すフローチャート
【図７】同実施の形態におけるファンヒータのステップ状流量変化を示すグラフ
【図８】本実施の形態４における器具判別処理を示すフローチャート
【発明を実施するための形態】
【００１２】
第１の発明は、流路内を流れるガス流量を一定時間間隔で計測し流量データとして出力する流量計測手段と、前記流量計測手段で計測された流量データからガス器具を判別する器具判別手段と、季節を想定する季節想定手段と、を備え、前記器具判別手段は、前記季節想定手段で想定される季節毎に、判別する器具を限定することを特徴とするもので、これにより、類似した流量域、或いは流量パターンを有し明確な判別ができない可能性のあるガス器具（例えば、ガスファンヒータ、ガスコンロ、乾燥機等）の判別を季節における使用状況を加味して判別することができ、ガス器具の判別精度の向上を図ることが可能となる。
【００１３】
第２の発明は、特に第１の発明において、前記器具判別手段は、流量データから特定の季節に使用される第１ガス器具と季節に関係なく使用される第２ガス器具のいずれかを判別できない場合、前記季節想定手段で想定される季節が、前記第１ガス器具が使用されない季節の時は、前記第１ガス器具と判別しないことを特徴とするものである。
【００１４】
第３の発明は、特に第１の発明において、前記器具判別手段は、稼動開始からの流量データから特定の季節に使用される第１ガス器具と季節に関係なく使用される第２ガス器具のいずれかを判別できない場合、前記季節想定手段で想定される季節が、前記第１ガス器具が使用されない季節の時は、前記第２ガス器具と判別することを特徴とするものである。
【００１５】
第４の発明は、特に第１の発明において、前記器具判別手段は、前記季節想定手段によって想定される季節が第１ガス器具を使用しない季節に相当するときに、前記流量計測手段によって計測されたガス流量が所定範囲の流量帯であることを検出できなかった場合、前記季節想定手段によって想定される季節が第１ガス器具を使用する季節において前記所定範囲内の流量帯のガス器具は全て前記第１ガス器具として判別することを特徴とするものである。
【００１６】
第５の発明は、特に第１の発明において、前記器具判別手段により前記第１ガス器具と判別された場合に、前記第１ガス器具が有する所定の流量変化パターンの有無を監視する流量変化検出手段を有し、前記器具判別手段は、前記流量変化検出手段で、前記所定の流
量変化パターン有りを検出し、且つ、前記季節想定手段によって想定される季節が前記第１ガス器具を使用しない季節に相当するときは、使用されたガス器具を季節に関係なく使用される第３ガス器具と判別することを特徴とするものである。
【００１７】
第６の発明は、特に第１〜５のいずれか１つの発明において、前記器具判別手段でガス器具が特定のガス器具と判別された場合に前記流量計測手段で計測されたガス流量を積算する器具流量積算手段を備えたことを特徴とするものである。
【００１８】
第７の発明は、特に第６の発明において、前記器具流量積算手段は、前記第１ガス器具と前記第２ガス器具のいずれかを判別できない場合、前記季節想定手段によって想定される季節が前記第１ガス器具を使用しない季節に相当するとき判別できないガス流量を積算量Ａとして積算し、前記季節想定手段によって想定される季節が前記第１ガス器具を使用する季節に相当するときに判別できないガス流量を積算量Ｂとして積算し、前記第１ガス器具の積算量を積算量Ｂ−積算量Ａとして求めることを特徴とするものである。
【００１９】
第８の発明は、特に第１〜７のいずれか１つの発明において、前記季節想定手段は、カレンダーを備え、前記カレンダーの月日に基づいて季節を想定することを特徴とするものである。
【００２０】
第９の発明は、特に第１〜７のいずれか１つの発明において、前記季節想定手段は、温度検出手段を備え、年間の温度の推移に基づいて季節を想定することを特徴とするものである。
【００２１】
第１０の発明は、特に第１〜７のいずれか１つの発明において、前記季節想定手段は、ガス使用量変化検出手段を備え、ガスの使用量に応じて季節を想定することを特徴とするものである。
【００２２】
以下、添付の図面を参照しながら、本発明にかかるガス器具判別装置の実施形態を説明する。以下に説明する実施形態では、ガス器具判別装置の例として、ガスメータを挙げ、その処理を説明する。図面において、同じ構成要素には同じ参照符号を付し、既に説明した構成要素については再度の説明を省略する。なお、本発明は、以下で説明する実施形態によって限定されることはない。
【００２３】
（実施の形態１）
図１は、本発明の実施の形態１によるガスメータ１００の構成例を示す。ガスメータ１００ は、その内部に流路１０２を有し、ガスを供給するガス管１０ａに接続された状態で使用 される。ガスメータ１００は、ガス管１０ａと、１以上のガス器具（ガスコンロ、ガスファンヒータ、乾燥機など）との間に配置される。図１は、ガスメータ１００の流路１０２の一端が上流側のガス管１０ａに接続され、流路１０２の他端が下流側のガス管１０ｂに接続された状態を示しており、ここでは、ガス管１０ｂに第１ガス器具１３、第２ガス器具１４および第３ガス器具１５が接続されている。以降、特に区別が必要ない場合は、ガス器具１３〜１５として説明する。また、ガスファンヒータはファンヒータ、ガスコンロはコンロと略記する。
【００２４】
図１に例示する構成において、ガスメータ１００は、概略的には、流路の途中に配置された流量計測手段１０４と、制御手段１０５と、遮断手段１０９とを有する。流量計測手段１０４は、流路１０２に流れるガスの流量を一定時間間隔で計測する。流量計測手段１０４としては、例えば超音波流量計を適用することができる。
【００２５】
超音波流量計は、流路１０２に流れるガスに対して一定時間間隔で超音波を発射し、ガ
ス流によって生じる伝搬時間差を求めることにより、ガスの瞬時流量を計測する。流量計測手段１０４によって検出される一定時間間隔（例えば、０．５秒毎）の流量を示すデータを取得することにより、ガスの使用量の変動を検出することができる。
【００２６】
また、図１に例示する構成において、制御手段１０５は、器具判別手段１０６と、季節想定手段１０７と、カレンダー１０８とを有する。ガスメータ１００の動作の詳細は後述する。
【００２７】
この例では、ガスメータ１００は、ガス管１０ａと流量計測手段１０４との間に配置された遮断手段１０９を有している。遮断手段１０９は、ガス流量の異常な増加が検出されたときなどに、制御手段１０５の制御に基づき、ガス管１０ｂに接続されたガス器具１３、１４および１５へのガスの供給を停止する。遮断手段１０９としては、例えば遮断弁を用いることができる。
【００２８】
器具判別手段１０６は、流量計測手段１０４によって取得される流量値に基づき、ガス器具１３〜１５の稼動開始時に得られた流量変化パターンに基づいて、使用開始されたガス器具を判別する。その際に、後述の季節想定手段１０７で想定された季節に基づいて判別するガス器具を限定することで判別精度を向上している。
【００２９】
季節想定手段１０７は、カレンダー１０８で管理されている月日に基づいて、現在の季節（春夏秋冬）を想定する。ここで想定する季節とは、特定のガス器具が使用される季節、或いは、使用されない季節を意図するものであり、単に月日だけでなく、地理的な位置を考慮することでより実情にあった季節を想定することが出来る。
【００３０】
器具流量積算手段１１０は、流量計測手段１０４で計測された流量を器具判別手段１０６で判別されたガス器具の内、特定のガス器具或いは全てのガス器具毎に積算する。
【００３１】
以下、器具判別手段１０６の動作について説明する。
【００３２】
図２は、ガス器具の年間の使用状況を示すもので、ファンヒータのような暖房器具は、秋の中旬過ぎから春先にかけて使用され、コンロ、乾燥機は年中使用される。
【００３３】
図３は、流量データから特定の季節に使用される第１ガス器具１３と季節に関係なく使用される第２ガス器具１４、若しくは第３ガス器具１５のいずれかを判別できない場合における器具判別手段１０６における処理のフローチャートを示すもので、具体的なガス器具として、第１ガス器具１３がファンヒータ、第２ガス器具１４がコンロ、第３ガス器具１５が乾燥機である場合について説明する。
【００３４】
図４は、ファンヒータとコンロの稼動開始後の流量パターンを示すもので、ファンヒータの流量パターンの特徴は最大流量に至る途中に流量が一定となる緩点火と言われる流量パターンであり、器具判別手段１０６はこの緩点火の有無及び最大流量に基づいて器具判別を行うことで、ファンヒータとコンロの区別を行うことができる。一方、乾燥機の流量パターンはファンヒータと同等であり、判別ができないものとする。
【００３５】
まず、器具判別手段１０６は、流量計測手段１０４で計測された流量データを取得（Ｓ１０１）しての流量パターンを抽出（Ｓ１０２）して、ガス器具の判別処理を行う（Ｓ１０３）。この処理Ｓ１０１〜Ｓ１０３が稼動開始時の流量変化パターンに基づく通常の器具判別処理である（以後、処理Ｓ１０１〜Ｓ１０３による器具判別処理を器具判別処理Ａとする。
【００３６】
処理１０３でコンロと判別された場合は、そのまま器具判別を終了する（処理Ｓ１０４でＹｅｓ）。コンロではない場合、即ち、ファンヒータ若しくは乾燥機の場合（処理Ｓ１０４でＮｏ）、器具判別手段１０６は、季節想定手段１０７で想定された季節が夏であるか、即ちファンヒータが使用されない季節かどうかを判別し（Ｓ１０５）、もしも、夏であれば、ファンヒータと判別せずに、乾燥機として器具判別を行う（Ｓ１０６）。夏ではない場合、ファンヒータ又は乾燥機と判別（Ｓ１０７）して器具判別を終了する。
【００３７】
以上のように、本実施の形態によると、器具判別手段１０６は、器具判別を行う際に季節を加味することにより、夏場において、夏に使用することの無いファンヒータと判別する誤判定を防止することができる。
【００３８】
そして、器具流量積算手段１１０では、器具判別手段１０６の器具判別結果に基づいて、器具毎のガスの使用量を積算することが出来る。
【００３９】
更に、ファンヒータに使用されたガスの流量を積算することで、ガス販売業者は、ファンヒータのガス使用量に対する値引き等の料金施策を行う場合でも、誤判定による誤った料金施策を回避できる。
【００４０】
（実施の形態２）
次に、図５のフローチャートを用いて、実施の形態２における器具判別手段１０６の動作を説明する。なお、本実施の形態では、使用されるガス器具は、ガス流量が同じ所定の流量範囲の２つのガス器具（第１ガス器具１３、第２ガス器具１４）であり、ガス流量が同じ所定の流量範囲の２つのガス器具として冬に使用されるファンヒータと年中使用されるコンロを想定している。
【００４１】
まず、夏場における処理として、季節想定手段１０７により想定された季節が夏かどうかを判断し（Ｓ２０１）、夏の場合に所定の流量範囲の流量が流れるかを判定する（Ｓ２０２）。所定の流量範囲の流量が流れた場合には、夏にファンヒータが使用されることは無いので、コンロが使用されたと判断して、コンロが存在しているとして、コンロ無しフラグをリセットし（Ｓ２０３）、所定の流量範囲の流量が流れたことを検出できない場合は、コンロが存在しないと判断しコンロ無しフラグをセットする（Ｓ２０４）。夏でない場合は、前述の器具判別処理Ａを実施する（Ｓ２１０）。
【００４２】
即ち、夏場の処理において、所定の流量範囲のガス流量が検出されない場合は、年中使用されるコンロはメータの下流に存在しないと判断するものである。なお、コンロがメータの下流に存在しないことを確実に判断する為には、夏場の処理において、所定の流量範囲のガス流量が検出されないことを複数回検出した時点で行うことが好ましい。
【００４３】
次に、冬場における処理について説明する。まず、現在が冬であるかを判別し（Ｓ２０５）、冬でない場合は、通常の器具判別処理Ａを行う。夏場の処理において決定されたコンロ存在の有無をコンロ無しフラグで判断し（Ｓ２０６）、コンロ無しフラグがセットされていた場合、即ちコンロが存在していないと判断された場合には流量が所定範囲であるかを判断し（Ｓ２０７）、所定流量範囲であれば、この流量範囲に属するコンロとファンヒータの内、コンロが存在しないことから、ファンヒータと判別する（Ｓ２０８）。
【００４４】
また、季節が冬では無い場合やコンロ無しフラグがセットされていない、つまり、コンロ有りと判断されている場合は、通常の器具判別処理Ａを行う（Ｓ２１１）。
【００４５】
以上のように、本実施の形態によると、所定の流量範囲にある２つのガス器具の一方の第１ガス器具１３（本実施の形態ではファンヒータ）が季節に依存して使用され、他方の
第２ガス器具１４（本実施の形態ではコンロ）が年中使用される場合、年中使用される第２ガス器具１４が、第１ガス器具１３が使用されない季節に使用されなかったと判断できる場合には、メータの下流に第２ガス器具１４が接続されていないと判断することで、第１ガス器具１３の判別精度を向上することができる。
【００４６】
これにより、緩点火等の特徴的な流量変化パターンを検出できず、通常の器具判別処理Ａだけでガス器具を判別できないような場合でも、季節を加味することで、器具判別の精度を向上することができる。
【００４７】
（実施の形態３）
次に、図６のフローチャートを用いて、実施の形態３における器具判別手段１０６の動作を説明する。なお、本実施の形態では、使用されるガス器具は、ガス流量パターンが類似している特定のガス器具（第１ガス器具１３、第２ガス器具１４）とその他のガス器具（第３ガス器具１４）であり、特定のガス器具の第１ガス器具１３を冬に使用されるファンヒータ、第２ガス器具１４を年中使用される乾燥機として説明する。
【００４８】
まず、器具判別手段１０６によって稼動開始時に得られた流量変化パターンに基づいて、使用されているガス器具を判別し（通常の器具判別処理Ａ：Ｓ３０１）、器具判別の結果が特定のガス器具（ファンヒータ或いは乾燥機）かどうかを判定し（Ｓ３０２）、特定のガス器具であった場合には、特定のガス器具であることを確実に判別する為に、特定のガス器具即ち、ファンヒータや乾燥機特有の特定の流量パターンが現れるかどうかを継続して監視する（Ｓ３０３）。
【００４９】
この特定の流量変化パターンとは、稼動開始から暫くして温度制御が行われる場合の流量変化パターンであり、ファンヒータや乾燥機の典型的な流量変化パターンは、図８に示すようなステップ状の流量変化である。これは、ファンヒータや乾燥機の燃焼制御においては、完全燃焼を行わせる為に燃焼量と風量との関係を予め設定した数点の制御点で行うことによるものである。
【００５０】
そして、特定の流量変化パターンが検出できた場合、現在の季節が夏かどうか、即ち、ファンヒータを使用しない季節であるかを判断し（Ｓ３０４）、夏であればファンヒータと同様の流量変化パターンを示す乾燥機と判断する（Ｓ３０５）。
【００５１】
処理Ｓ３０３で所定期間内に特定の流量変化パターンが検出できない場合は、そのまま器具判別を終了する。また、処理Ｓ３０４で、季節が夏でなかった場合は、ファンヒータ又は乾燥機として器具判別を終了する。
【００５２】
以上のように、本実施の形態によると、同じ流量パターンを有する特定のガス器具である２つのガス器具の一方が季節に依存して使用される第１ガス器具１３（本実施の形態ではファンヒータ）であり、他方が年中使用される第２ガス器具１４（実施の形態では乾燥機）である場合、第１ガス器具１３が使用される季節でない無い場合には年中使用される第２ガス器具１４が使用されていると判断することで、第２ガス器具１４であることを確実に判別することが出来、全体としての判別精度を向上することができる。
【００５３】
また、実施の形態１においては、コンロの判別が確実に行われることを前提としていたが、本実施の形態においては、器具判別処理Ａにおいて、コンロをファンヒータ或いは乾燥機と誤判別した場合でも、継続的に流量変化を監視しファンヒータ或いは乾燥機に特有の流量パターンの有無を検出することで誤った判別を防止できる。
【００５４】
なお、ファンヒータ又は乾燥機と判別した場合には、器具特有の使い方を監視し、ファ
ンヒータと乾燥機の判別を行う。例えば、ファンヒータであれば比較的長時間使用される、或いは、ステップ状の流量変化が繰返されて温度調節が行われることなどから乾燥機ではなくファンヒータと判別することが出来る。
【００５５】
（実施の形態４）
次に、図８のフローチャートを用いて、実施の形態４における器具流量積算手段１１０の動作を説明する。なお、本実施の形態では、第１ガス器具１３として冬に使用されるファンヒータ、第２ガス器具１４として年中使用される乾燥機またはコンロを想定し、第１ガス器具１３であるファンヒータのガス使用量である積算量を求める手順を説明する。
【００５６】
更に、類似した流量パターンで区別が困難なファンヒータと乾燥機、或いは、この２つのガス器具と流量帯が同じで区別ができない可能性のあるコンロを加えた３つのガス器具が器具判別手段で明確に判別できない場合を想定している。
【００５７】
（夏場の処理）
まず、通常の器具判別処理Ａにより器具判別を行い（Ｓ４０１）、器具判別の結果、ガス器具が第１ガス器具１３、第２ガス器具１４のどちらかの区別ができない場合（処理Ｓ４０２でＹｅｓ）、即ち２つのガス器具の判別が明確でない場合、現在の季節が第１ガス器具１３（ファンヒータ）を使用しない夏である場合（処理Ｓ４０３でＹｅｓ）は、積算値を第１ガス器具１３（ファンヒータ）でない第２ガス器具１４（乾燥機またはコンロ）の積算量Ａとして保存する（Ｓ４０４）。
【００５８】
（冬場の処理）
次に、処理４０３で季節が夏で無いと判断された場合、季節が冬であるかを判別し（Ｓ４０５）、冬である場合には第１ガス器具１３（ファンヒータ）を使用する冬場の処理として、積算値を第１ガス器具１３（ファンヒータ）と第２ガス器具１４（乾燥機またはコンロ）の合算の積算量である積算量Ｂとして保存し（Ｓ４０６）、第１ガス器具１３（ファンヒータ）の積算量を、積算量Ｂ−積算量Ａとして求める（Ｓ４０７）。
【００５９】
即ち、特定の季節に使用される第１ガス器具１３（ファンヒータ）の積算量を求める場合に、第１ガス器具１３（ファンヒータ）が使用されない季節の積算量Ａを保存しておき、ガス器具の判別が明確に出来ない場合の積算量Ｂから積算量Ａを減算するもので、これにより、第１ガス器具の積算量を推定することができる。
【００６０】
なお、上記事例では、季節に関係なく使用される第２ガス器具１４のガスの使用量が年間を通して略一定であることを前提としているが、実際には夏場と冬場の気温の差でガスの使用量そのものが変動する。即ち、同じガス器具でも冬場の使用量は増加するので、第１ガス器具１３（ファンヒータ）の積算量を求める際に、積算量Ｂ−積算量Ａ×Ｋというように、冬場に想定される増加量の補正係数Ｋ（１以上）を考慮することで、積算量の推定精度をより向上することができる。
【００６１】
また、本実施の形態では、夏場と冬場のガスの使用量をそれぞれ積算量Ａ，Ｂとして簡略化して説明したが、実際には所定期間（例えば、１ヶ月）の使用量に基づき、所定期間毎の使用量を算出しても良い。この場合、夏場の積算量Ａに相当する使用量として、夏場の所定期間の積算量Ａ’を平均の使用量から求めておき、冬場における所定期間の積算量Ｂ’を求め、第１ガス器具１３（ファンヒータ）の所定期間の積算量を積算量Ｂ’−積算量Ａ’として求めることができる。
【００６２】
なお、以上の実施の形態において、季節想定手段１０７はカレンダー１０８を用いて季節を想定するものとして説明したが、他の方法として、カレンダー１０８に代えて温度検
出手段１１１を備え、温度センサー等により気温或いはガス温度の変化を検出することで季節を想定することも可能である。また、所定期間のガスの使用量の変化量を算出するガス使用量変化検出手段１１２を備え、ガスの使用量の推移、或いは、ＬＰガスボンベの交換回数を指標として季節を判断することも出来る。また、連続使用時間の変化時間を算出する使用時間変化検出手段（図示せず）を備え、連続使用時間の推移を指標として季節を判断することも出来る。更に、季節想定手段１０７と合わせてＧＰＳ等による位置情報を加味することでより実際の季節を想定することができる。
【産業上の利用可能性】
【００６３】
本発明の実施形態によれば、複数のガス器具が使用される場合でも器具判別の判別精度を向上できるので、ガス器具の判別機能を有するガスメータなどに有用である。
【符号の説明】
【００６４】
１３  ガス器具（第１ガス器具）
１４  ガス器具（第２ガス器具）
１５  ガス器具（第３ガス器具）
１００  ガスメータ（ガス器具判別装置）
１０４  流量計測手段
１０６  器具判別手段
１０７  季節想定手段
１０８  カレンダー
１１０  器具流量積算手段
１１１  温度検出手段
１１２  ガス使用量変化検出手段
【図１】
2019045222.tif 000003
【図２】
2019045222.tif 000004
【図３】
2019045222.tif 000005
【図４】
2019045222.tif 000006
【図５】
2019045222.tif 000007
【図６】
2019045222.tif 000008
【図７】
2019045222.tif 000009
【図８】
2019045222.tif 000010